(57)【要約】【課題】より充実した診療支援を簡単に行うことができる診療支援装置、システム、プログラム及び方法を提供する。【解決手段】診療支援サーバは、クライアント端末から診療支援画面２１の配信要求が入力されると、入力された配信要求で指定された患者ＩＤに対応する診療スケジュールをスケジュールＤＢから取得する。また、取得した診療スケジュールＩＤに基づき、取得した診療スケジュールに対応する診療情報を、診療情報ＤＢから取得する。そして、取得した診療スケジュールを表示するスケジュール表示領域Ａ１と、取得した診療情報を受け付け順（投稿順）に並べて表示する診療情報表示領域Ａ２とを並列的に配置した診療支援画面２１を生成し、クライアント端末に配信する。このように配信された診療支援画面２１がクライアント端末のディスプレイに表示される。【選択図】図９
2016126428.tif 000002
【特許請求の範囲】
【請求項１】
医療スタッフから投稿された診療情報を受け付ける受付部と、
患者に実施される複数の診療行為を時間軸に沿って並べた診療スケジュールを表示する第１表示領域と、前記診療行為を実施する過程で前記受付部が受け付けた診療情報を受付順に並べて表示する第２表示領域と、が並列的に配置された診療支援画面を生成する診療支援画面生成部と、
前記診療支援画面を出力する出力制御部と、を備えていることを特徴とする診療支援装置。
【請求項２】
前記診療情報には、医療スタッフが他の医療スタッフへ向けて投稿した連絡事項が含まれることを特徴とする請求項１記載の診療支援装置。
【請求項３】
前記診療情報には、実施済みの検査の検査結果が含まれることを特徴とする請求項１または２記載の診療支援装置。
【請求項４】
前記第２領域には、前記診療情報の内容が受付順に表示され、
前記第１領域には、前記時間軸に、前記診療情報の受付時期を示す指標が表示されることを特徴とする請求項１〜３のいずれか１項に記載の診療支援装置。
【請求項５】
前記診療情報の種類に応じて、前記指標の表示態様が変化することを特徴とする請求項４記載の診療支援装置。
【請求項６】
同時期に複数の診療情報を受け付けた場合、受け付けた診療情報の数に対応する数の指標が表示されることを特徴とする請求項４または５記載の診療支援装置。
【請求項７】
前記第１表示領域は、前記時間軸の尺度を変更可能であることを特徴とする請求項１〜６のいずれか１項に記載の診療支援装置。
【請求項８】
クライアント端末と、前記クライアント端末から入力される要求に基づいて診療行為を支援する診療支援装置とから構成される診療支援システムにおいて、
前記診療支援装置は、
医療スタッフから投稿された診療情報を受け付ける受付部と、
患者に実施される複数の診療行為を時間軸に沿って並べた診療スケジュールを表示する第１表示領域と、前記診療行為を実施する過程で前記受付部が受け付けた診療情報を受付順に並べて表示する第２表示領域と、が並列的に配置された診療支援画面を生成する診療支援画面生成部と、
前記診療支援画面を出力する出力制御部と、を備えていることを特徴とする診療支援システム。
【請求項９】
診療行為を支援する診療支援装置としてコンピュータを機能させる診療支援プログラムにおいて、
医療スタッフから投稿された診療情報を受け付ける受付ステップと、
患者に実施される複数の診療行為を時間軸に沿って並べた診療スケジュールを表示する第１表示領域と、前記診療行為を実施する過程で前記受付部が受け付けた診療情報を受付順に並べて表示する第２表示領域と、が並列的に配置された診療支援画面を生成する診療支援画面生成ステップと、
前記診療支援画面を出力する出力制御ステップと、を前記コンピュータに実行させることを特徴とする診療支援プログラム。
【請求項１０】
医療スタッフから投稿された診療情報を受け付ける受付ステップと、
患者に実施される複数の診療行為を時間軸に沿って並べた診療スケジュールを表示する第１表示領域と、前記診療行為を実施する過程で前記受付部が受け付けた診療情報を受付順に並べて表示する第２表示領域と、が並列的に配置された診療支援画面を生成する診療支援画面生成ステップと、
前記診療支援画面を出力する出力制御ステップと、を診療支援装置に実行させることを特徴とする診療支援方法。
【発明の詳細な説明】
【技術分野】
【０００１】
本発明は、診療を支援する診療支援装置、システム、プログラム及び方法に関する。
【背景技術】
【０００２】
医療分野において、診療を支援するための各種の医療用コンピュータシステムが提案されている。医療用コンピュータシステムの１つとして、下記特許文献１には、患者の症状などを設定すると、その後の診療スケジュールをシステム側で自動的に生成して表示する診療支援システムが記載されている。診療スケジュールは、患者に実施される複数の診療行為、具体的には、患者に対する診断、検査、治療、手術、及びそれらの準備などの診療行為を時間軸に沿って並べた診療計画である。診療スケジュールにおいて、診療行為を実施する時期や順番が規定される。診療スケジュールを作成することによって、医師や看護師などの医療スタッフの間で診療スケジュールの内容を共有することができる。
【先行技術文献】
【特許文献】
【０００３】
【特許文献１】特開２０１４−０６３２１４号公報
【発明の概要】
【発明が解決しようとする課題】
【０００４】
しかしながら、十分な診療支援を行うために、上記特許文献１のような診療スケジュールに加えて、診療スケジュールに関連するより多くの情報を参照できるようにすることが求められている。例えば、診療スケジュールからは各診療行為の実行順については把握できるが、実際に各診療行為を実施する場合は、それまでの診療過程で取得・蓄積された診療情報（例えば、医療スタッフ間で取り交わされた連絡事項や、事前検査の結果など）を参照する必要がある。しかし、上記特許文献１では、診療スケジュールを生成する機能しか有していないため、診療スケジュールを生成する手間は軽減できるものの、実際に診療を進める際には、上述した診療情報については別途に収集する必要があり手間がかかってしまうといった問題があった。
【０００５】
本発明は、上記背景を鑑みてなされたものであり、より充実した診療支援を簡単に行うことができる診療支援装置、システム、プログラム及び方法を提供することを目的とする。
【課題を解決するための手段】
【０００６】
上記目的を達成するために、本発明の診療支援装置は、医療スタッフから投稿された診療情報を受け付ける受付部と、患者に実施される複数の診療行為を時間軸に沿って並べた診療スケジュールを表示する第１表示領域と、診療行為を実施する過程で受付部が受け付けた診療情報を受付順に並べて表示する第２表示領域と、が並列的に配置された診療支援画面を生成する診療支援画面生成部と、診療支援画面を出力する出力制御部と、を備えていることを特徴としている。
なお、並列的に配置するとは、第１表示領域の時間軸に対応して診療情報が表示されることを示しており、第１表示領域の隣に第２表示領域が並ぶ配置態様に加え、いずれか一方の領域内に他方の領域の全てが含まれる配置態様、及び、双方の領域の一部が重複する配置態様が含まれる。
【０００７】
診療情報には、医療スタッフが他の医療スタッフへ向けて投稿した連絡事項が含まれていてもよい。
【０００８】
診療情報には、実施済みの検査の検査結果が含まれていてもよい。
【０００９】
第２領域には、診療情報の内容が受付順に表示され、第１領域には、時間軸に、診療情報の受付時期を示す指標を表示してもよい。
【００１０】
診療情報の種類に応じて、指標の表示態様を変化させてもよい。
【００１１】
同時期に複数の診療情報を受け付けた場合、受け付けた診療情報の数に対応する数の指標を表示してもよい。
【００１２】
第１表示領域は、時間軸の尺度を変更可能であってもよい。
【００１３】
また、本発明の診療支援システムは、クライアント端末と、クライアント端末から入力される要求に基づいて診療行為を支援する診療支援装置とから構成される診療支援システムにおいて、診療支援装置は、医療スタッフから投稿された診療情報を受け付ける受付部と、患者に実施される複数の診療行為を時間軸に沿って並べた診療スケジュールを表示する第１表示領域と、診療行為を実施する過程で受付部が受け付けた診療情報を受付順に並べて表示する第２表示領域と、が並列的に配置された診療支援画面を生成する診療支援画面生成部と、診療支援画面を出力する出力制御部と、を備えていることを特徴としている。
【００１４】
また、本発明の診療支援プログラムは、診療行為を支援する診療支援装置としてコンピュータを機能させる診療支援プログラムにおいて、医療スタッフから投稿された診療情報を受け付ける受付ステップと、患者に実施される複数の診療行為を時間軸に沿って並べた診療スケジュールを表示する第１表示領域と、診療行為を実施する過程で受付部が受け付けた診療情報を受付順に並べて表示する第２表示領域と、が並列的に配置された診療支援画面を生成する診療支援画面生成ステップと、診療支援画面を出力する出力制御ステップと、をコンピュータに実行させることを特徴としている。
【００１５】
さらに、本発明の診療支援方法は、医療スタッフから投稿された診療情報を受け付ける受付ステップと、患者に実施される複数の診療行為を時間軸に沿って並べた診療スケジュールを表示する第１表示領域と、診療行為を実施する過程で受付部が受け付けた診療情報を受付順に並べて表示する第２表示領域と、が並列的に配置された診療支援画面を生成する診療支援画面生成ステップと、診療支援画面を出力する出力制御ステップと、を診療支援装置に実行させることを特徴としている。
【発明の効果】
【００１６】
本発明は、医療スタッフから投稿された診療情報を受け付けて受付順に並べて表示するとともに、これらの診療情報を診療スケジュールと並列的に表示するようにしたので、従来と比較して、より充実した診療支援を簡単に行うことができる。
【図面の簡単な説明】
【００１７】
【図１】診療支援システムの構成を示す説明図である。
【図２】カルテＤＢの内容を示す説明図である。
【図３】画像ＤＢの内容を示す説明図である。
【図４】スケジュールＤＢの内容を示す説明図である。
【図５】診療スケジュールの内容を示す説明図である。
【図６】診療情報の内容を示す説明図である。
【図７】診療支援サーバ等に用いられるコンピュータの電気的な構成を示すブロック図である。
【図８】クライアント端末の機能概要を示す説明図である。
【図９】診療支援画面を示す説明図である。
【図１０】投稿画面を示す説明図である。
【図１１】診療支援サーバの機能概要を示す説明図である。
【図１２】診療支援画面の配信と更新の概略的な手順を示す説明図である。
【図１３】診療支援画面を示す説明図である。
【図１４】診療支援画面を示す説明図である。
【図１５】診療支援画面を示す説明図である。
【図１６】診療支援画面を示す説明図である。
【図１７】表示範囲外の指標を表示する表示エリアを設けた例を示す説明図である。
【発明を実施するための形態】
【００１８】
図１に示す診療支援システム１０は、病院等の医療施設で実施される診療行為を支援するために用いられるコンピュータシステムである。この診療支援システム１０は、診療支援サーバ１１と、クライアント端末１２と、サーバ群１３と、これらを相互に通信可能に接続するネットワーク１４とで構成されている。ネットワーク１４は、例えば、院内に敷設されたＬＡＮ（Local Area Network）である。
【００１９】
サーバ群１３には、電子カルテサーバ１５、画像サーバ１６、スケジュールサーバ１７などが含まれる。電子カルテサーバ１５は、電子カルテデータベース（以下、電子カルテＤＢ）１８を備えている。また、画像サーバ１６は、いわゆるＰＡＣＳ（Picture Archiving and Communication System）サーバであり、画像データベース（以下、画像ＤＢ）１９を備えている。さらに、スケジュールサーバ１７は、スケジュールデータベース（以下、スケジュールＤＢ）２０を備えている。これら、カルテＤＢ１８、画像ＤＢ１９、スケジュールＤＢ２０は、例えば、患者ＩＤ（Identification Data）などのキーワードによる検索が可能なデータベースである。
【００２０】
図２に示すように、カルテＤＢ１８には、複数の電子カルテが格納されている。電子カルテは患者毎に設けられ、各電子カルテには、患者ＩＤ・患者名・年齢・性別などの患者情報が付加されている。また、図３に示すように、画像ＤＢ１９には、Ｘ線検査やＣＴ検査などの画像検査で撮影された検査画像が格納され、各検査画像には、患者情報、撮影日、撮影機器、撮影部位、撮影条件などが付加されている。
【００２１】
さらに、図４に示すように、スケジュールＤＢ２０には、複数の診療スケジュールが記憶されている。診療スケジュールは、患者毎に設けられ、各診療スケジュールには、前述した患者情報の他、スケジュールＩＤ、担当者情報などが付加されている。スケジュールＩＤは、診療スケジュールを作成する際に割り当てられ、診療スケジュールを識別するために用いられる。担当者情報は、各診療スケジュールにおいて各診療行為を担当する担当者を示す情報であり、担当者ＩＤ・担当者名・所属する診療科などの情報である。
【００２２】
図５に示すように、診療スケジュールは、患者に実施される複数の診療行為を時間軸ＴＬに沿って実施順に並べたものであり、図５では、患者Ａの診療スケジュール（例えば、肺腫瘍摘出手術の診療スケジュール）を示している。この診療スケジュールは、診療行為１（例えば、事前検査であり、肺のＣＴ検査）、診療行為２（例えば、直前検査でありバイタル情報測定）と、診療行為３（例えば、肺腫瘍摘出手術）とからなり、２０１５年１月１２日１０時に診療行為１を実施し、２０１５年１月１５日１１時に診療行為２を実施し、その２時間後（２０１５年１月１５日１３時）に手術が行われる内容となっている。
【００２３】
また、この診療スケジュールに関わる担当者は、医師Ａ、検査技師Ｂ、看護士Ｃ、Ｄ、Ｅの全部で５人であり、全体の責任者が医師Ａ、診療行為１の担当が検査技師Ｂと看護士Ｃ、診療行為２の担当が看護士Ｄ、診療行為３の担当が医師Ａと看護士Ｅである。なお、この診療スケジュールは、患者Ａの健康診断で肺のＣＴ検査を行った際に腫瘍が発見されたとの前提のもと、この前提に基づいて２０１５年１月１０日に医師Ａにより立案・作成されたものであり、スケジュールＩＤとして「ＡＢＣＤＥ」が割り当てられている。
【００２４】
図１に戻り、クライアント端末１２は、内科、外科、耳鼻科、眼科といった各診療科の医療スタッフがそれぞれ所有する、例えば、タブレット端末やスマートフォン、ノート型やデスクトップ型のパソコンなどである。クライアント端末１２は、電子カルテサーバ１５にアクセスして、電子カルテの生成（入力）や閲覧（表示）をする機能を有している。また、クライアント端末１２は、画像サーバ１６にアクセスして、検査画像を閲覧する機能を有している。さらに、クライアント端末１２は、スケジュールサーバ１７にアクセスして、診療スケジュールの生成や閲覧をする機能を有している。
【００２５】
また、クライアント端末１２は、診療支援サーバ１１にアクセスして、診療支援画面２１（図９参照）を閲覧したり、各種操作指示（要求）を入力する機能を有している。診療支援画面２１は、診療の実施を支援するための画面であり、診療スケジュールを表示するスケジュール表示領域Ａ１と、診療過程で医療スタッフから投稿された診療情報を投稿順に並べて表示する診療情報表示領域Ａ２とが並列的に配置されている。このように、スケジュール表示領域Ａ１は、診療スケジュールを表示する本発明の第１表示領域である。また、スケジュール表示領域Ａ１の診療情報は、後述する受付部６０（図１１参照）により受け付けられて、診療情報表示領域Ａ２に受付順（投稿順）に並べて表示されたものである。すなわち、診療情報表示領域Ａ２は、診療行為を実施する過程で受付部６０が受け付けた診療情報を受付順に並べて表示する、本発明の第２表示領域である。
【００２６】
診療支援サーバ１１は、クライアント端末１２からの要求に基づいて、診療支援画面２１の生成及び更新を行い、クライアント端末１２へ配信する、本発明の診療支援装置である。診療支援サーバ１１には、診療支援画面２１の診療情報表示領域Ａ２に表示する診療情報を蓄積するための診療情報ＤＢ２２が設けられている。
【００２７】
図６に示すように、診療情報は、医療スタッフが他の医療スタッフへ向けて投稿した連絡事項や、実施済みの検査の検査結果（本例では、ＣＴ検査により得られた検査画像（ＣＴ画像））などからなり、投稿した日時や投稿者に関する情報が対応付けされて、投稿順に蓄積される。これらの診療情報は、診療支援画面２１のスケジュール表示領域Ａ１に表示されたスケジュールを実施する過程で投稿されたものである。診療情報は、いずれの診療スケジュールを実施する過程で投稿されたものであるかを識別するためのスケジュールＩＤが付与され、診療スケジュール毎に区別されて診療情報ＤＢ２２に蓄積される。そして、図６は、スケジュールＩＤが「ＡＢＣＤＥ」である診療スケジュール、すなわち、図５に示す患者Ａの診療スケジュールを実施する過程で投稿された診療情報を示している。
【００２８】
なお、図６は、診療情報として、例えば、検査画像そのものを、投稿、蓄積する例を示しているが、診療情報として、検査画像を参照するための参照先のアドレス情報や、検査画像へアクセスするためのリンクタグ、検査画像のサムネイル画像（検査画像を簡略化したデータ）などを投稿、蓄積する構成としてもよい。すなわち、本発明の診療情報には、診療情報そのものに加えて、診療情報を参照するための参照先のアドレス情報や、診療情報へアクセスするためのリンクタグ、診療情報を簡略化したデータなども含まれる。
【００２９】
診療支援サーバ１１やクライアント端末１２、及び、サーバ群１３を構成する電子カルテサーバ１５、画像サーバ１６、スケジュールサーバ１７は、パーソナルコンピュータ、サーバコンピュータ、ワークステーションといったコンピュータをベースに、オペレーティングシステム等の制御プログラムや、クライアントプログラム又はサーバプログラム等のアプリケーションプログラムをインストールして構成される。
【００３０】
図７に示すように、各サーバ１１、１５〜１７、及び、クライアント端末１２を構成するコンピュータは、基本的な構成は同じであり、それぞれ、ＣＰＵ（Central Processing Unit）３１、メモリ３２、ストレージデバイス３３、通信Ｉ／Ｆ３４、及び入出力部３５を備えている。これらはデータバス３６を介して接続されている。入出力部３５は、ディスプレイ３７と、キーボードやマウスなどの入力デバイス３８とからなる。
【００３１】
ストレージデバイス３３は、例えば、ＨＤＤ（Hard Disk Drive）であり、制御プログラムやアプリケーションプログラム（以下、ＡＰという）４０が格納される。また、ＤＢが構築されるサーバ１１、１５〜１７には、プログラムを格納するＨＤＤとは別に、ＤＢ用のストレージデバイス３３として、例えば、ＨＤＤを複数台連装したディスクアレイが設けられる。なお、ディスクアレイは、サーバ本体に内蔵されるものでもよいし、サーバ本体とは別に設けられ、サーバ本体にＬＡＮ（Local Area Network）などのネットワークを通じて接続されるものでもよい。
【００３２】
メモリ３２は、ＣＰＵ３１が処理を実行するためのワークメモリであり、ＲＡＭ（Random Access Memory）で構成される。ＣＰＵ３１は、ストレージデバイス３３に格納された制御プログラムをメモリ３２へロードして、プログラムに従った処理を実行することにより、コンピュータの各部を統括的に制御する。通信Ｉ／Ｆ３４は、ネットワーク１４との間の伝送制御を行うネットワークインタフェースである。
【００３３】
クライアント端末１２には、ＡＰ４０として、クライアントプログラムがインストールされている。クライアントプログラムは、診療支援サーバ１１にアクセスして診療支援画面２１の閲覧要求や更新要求などの各種要求を送信する機能、診療支援サーバ１１からクライアント端末１２に送られた診療支援画面２１を受信して表示する機能を、クライアント端末１２に実行させるためのプログラムである。なお、クライアントプログラムは、診療支援システム１０専用にプログラミングされたものであってもよいし、周知のウェブブラウザであってもよい。
【００３４】
図８に示すように、クライアントプログラムが起動されると、クライアント端末１２のディスプレイ３７には、ＧＵＩ（Graphical User Interface）による操作機能を備えた起動画面が表示され、クライアント端末１２のＣＰＵ３１は、メモリ３２などと協働して、ＧＵＩ制御部５０、及び診療支援サーバ１１に対する各種の要求を発行する要求発行部５１として機能する。起動画面において患者ＩＤの指定や診療支援画面２１の配信要求を発行する操作が行われる。
【００３５】
診療支援画面２１は、例えば、ＸＭＬ（Extensible Markup Language）などのマークアップ言語により記述されたデータで構成され、この診療支援画面２１自体もＧＵＩによる操作機能を備えている。ＧＵＩ制御部５０は、キーボードからの入力操作や、マウスのポインタによる操作ボタンのクリック操作など、診療支援画面２１を通じた入力デバイス３８からの操作指示を受け付けて、受け付けた操作指示に従った画面制御を行う。要求発行部５１に対しては、ＧＵＩ制御部５０を通じて、配信要求や更新要求の発行指示が入力される。要求発行部５１は、発行指示に従って、指定された患者ＩＤの診療支援画面２１や後述する投稿画面５５（図１０参照）の配信要求、及び、指定された内容の更新要求を発行する。
【００３６】
図９に示すように、診療支援画面２１は、前述したスケジュール表示領域Ａ１、診療情報表示領域Ａ２の他、関連情報表示領域Ａ３を有している。関連情報表示領域Ａ３には、患者情報、すなわち、患者ＩＤ、患者の氏名、年齢、性別が表示される。また、関連情報表示領域Ａ３には、スケジュール表示領域Ａ１に表示された診療スケジュールのスケジュール名や、スケジュールＩＤ、担当者を示すアイコンなどが表示される。
【００３７】
また、スケジュール表示領域Ａ１には、前述した診療スケジュールに加え、スクロールボタンＢ１、拡大ボタンＢ２、縮小ボタンＢ３、指標Ｍ１、Ｍ２が表示される。さらに、診療情報表示領域Ａ２には、前述した診療情報に加え、スクロールボタンＢ４、新規投稿ボタンＢ５が表示される。
【００３８】
スケジュール表示領域Ａ１のスクロールボタンＢ１は、診療スケジュールのうちスケジュール表示領域Ａ１に表示する表示範囲を上方（時間を遡る方向）または下方（時間を進める方向）にスライド移動（スクロール）させるために設けられている。スクロールボタンＢ１を上方または下方にスライドさせると、表示範囲を切り替えるための更新要求が発行され、クライアント端末１２から診療支援サーバ１１に対して送信される。診療支援サーバ１１は、この更新要求に従ってスケジュール表示領域Ａ１に対し表示範囲を切り替える更新を行って、更新済みの画面データをクライアント端末１２に配信する。これにより、クライアント端末１２において、診療スケジュールの表示範囲が切り替えられる。なお、図９は、図５に示す診療スケジュールのうち破線で囲まれた領域Ａ５がスケジュール表示領域Ａ１に表示されている例を示している。
【００３９】
拡大ボタンＢ２、縮小ボタンＢ３は、スケジュール表示領域Ａ１に表示する診療スケジュールの表示スケールを拡大または縮小するために設けられている。拡大ボタンＢ２、または、縮小ボタンＢ３を操作すると、表示スケールを切り替えるための更新要求が発行され、クライアント端末１２から診療支援サーバ１１に対して送信される。診療支援サーバ１１は、この更新要求に従ってスケジュール表示領域Ａ１に対し表示スケールを切り替える更新を行って、更新済みの画面データをクライアント端末１２に配信する。これにより、クライアント端末１２において、診療スケジュールの表示スケールが切り替えられる。このように、スケジュール表示領域Ａ１では診療スケジュール（すなわち、時間軸ＴＬ）の表示スケール（表示尺度）が変更可能となっている。
【００４０】
指標Ｍ１、Ｍ２は、診療情報の受付時期（投稿時期）を示すために設けられている。後述するように、診療支援画面２１では、診療情報表示領域Ａ２に表示された新規投稿ボタンＢ５を操作することによって、新たな診療情報を投稿できる。診療情報が投稿されると、指標Ｍ１、または、指標Ｍ２を表示するための更新要求が発行され、クライアント端末１２から診療支援サーバ１１に対して送信される。診療支援サーバ１１は、この更新要求に従って、スケジュール表示領域Ａ１に対し指標Ｍ１または指標Ｍ２を表示する更新を行い、更新済みの画面データをクライアント端末１２に配信することによって診療支援画面２１を更新する。
【００４１】
具体的には、診療支援サーバ１１は、投稿された診療情報がコメントなどの連絡事項である場合、時間軸ＴＬのうち診療情報が投稿された時期に対応する位置に、円形の指標Ｍ１を表示するように診療支援画面２１を更新する。また、診療支援サーバ１１は、投稿された診療情報が検査画像などの検査結果である場合、時間軸ＴＬのうち診療情報が投稿された時期に対応する位置に、四角形の指標Ｍ２を表示するように診療支援画面２１を更新する。そして、更新済みの画面データをクライアント端末１２に配信する。これにより、スケジュール表示領域Ａ１には、投稿された診療情報の種類に応じた形状（表示態様）の指標が表示される。なお、本例では、同時期に複数の診療情報が投稿された際には、時間軸ＴＬの対応する位置に、投稿された診療情報の数だけ指標Ｍ１や指標Ｍ２を並べて表示している。
【００４２】
診療情報表示領域Ａ２のスクロールボタンＢ４は、診療情報のうちスケジュール表示領域Ａ１に表示する表示範囲を上方（時間を遡る方向）または下方（時間を進める方向）にスライド移動（スクロール）させるために設けられている。スクロールボタンＢ４を上方または下方にスライドさせると、表示範囲を切り替えるための更新要求が発行され、クライアント端末１２から診療支援サーバ１１に対して送信される。診療支援サーバ１１は、この更新要求に従って診療情報表示領域Ａ２に対し表示範囲を切り替える更新を行って、更新済みの画面データをクライアント端末１２に配信する。これにより、クライアント端末１２において、診療情報の表示範囲が切り替えられる。なお、図９は、図６に示す診療情報のうち破線で囲まれた領域Ａ６が診療情報表示領域Ａ２に表示されている例を示している。
【００４３】
新規投稿ボタンＢ５は、新たな診療情報を投稿する際に操作される。新規投稿ボタンＢ５が操作されると、診療情報を投稿するための投稿画面５５（図１０参照）の配信要求が発行され、クライアント端末１２から診療支援サーバ１１に対して送信される。診療支援サーバ１１は、この配信要求に従って投稿画面５５をクライアント端末１２に配信する。これにより、クライアント端末１２に投稿画面５５が表示される。
【００４４】
図１０に示すように、投稿画面５５には、コメント入力欄Ｈ１と添付データ指定欄Ｈ２と、投稿ボタンＢ６とが設けられている。コメント入力欄Ｈ１には、クライアント端末１２の入力デバイス（例えば、キーボード）を操作するなどして投稿するコメント（連絡事項）を直接入力することができる。また、定型文選択ボタンＢ７を操作することで表示される複数の定型文の中からいずれかを選択することによって、選択された定型文をコメント入力欄Ｈ１に入力することも可能である。
【００４５】
添付データ指定欄Ｈ２では、投稿する添付データの指定が可能であり、添付データ指定欄Ｈ２に添付データの格納先のアドレスを入力することによって添付データを指定できる。また、参照ボタンＢ８を操作することで表示される検索ウィンドウにおいて患者ＩＤなどを検索キーワードとして入力することにより、ネットワーク１４を介して接続されたシステム全体の中（例えば、画像ＤＢ１９に格納された検査画像の中）から投稿する添付データを指定することも可能である。
【００４６】
コメント入力欄Ｈ１、添付データ指定欄Ｈ２の少なくとも一方への入力が完了した後、投稿ボタンＢ６を操作すると、入力された情報が、診療情報としてクライアント端末１２から診療支援サーバ１１に対して送信される。診療支援サーバ１１は、入力された診療情報を受け付け、受け付け順に診療情報ＤＢ２２に蓄積する。また、このように新たな診療情報が蓄積（投稿）されることによって、前述した更新要求が発行されて診療支援画面２１が更新され、指標Ｍ１または指標Ｍ２がスケジュール表示領域Ａ１に表示される。
【００４７】
さらに、コメント入力欄Ｈ１、添付データ指定欄Ｈ２の少なくとも一方への入力が完了した後に投稿ボタンＢ６が操作されると、入力された診療情報に基づいて診療情報表示領域Ａ２の表示内容を更新するための更新要求がクライアント端末１２から診療支援サーバ１１に対して送信される。診療支援サーバ１１は、この更新要求に従って、診療情報ＤＢ２２に新たに蓄積された診療情報が、それまでに蓄積された蓄積済みの診療情報の直下に表示されるように診療情報表示領域Ａ２の更新を行い、更新済みの画面データをクライアント端末１２に対して配信する。これにより、新たに蓄積された診療情報が、それまでに蓄積された蓄積済みの診療情報とともに、診療情報表示領域Ａ２に表示される。
【００４８】
図１１に示すように、診療支援サーバ１１には、ＡＰ４０として、サーバプログラムがインストールされており、サーバプログラムが起動されると、診療支援サーバ１１のＣＰＵ３１は、メモリ３２などと協働して、受付部６０、診療情報蓄積部６１、画面データ生成・更新部（診療支援画面生成部）６２、出力制御部６３として機能する。
【００４９】
受付部６０は、投稿画面５５を介してクライアント端末１２から投稿された診療情報、すなわち、クライアント端末１２を所有する医療スタッフが、投稿画面５５を介して投稿した診療情報を受け付け、受け付けた診療情報を、診療情報蓄積部６１へ入力する。診療情報蓄積部６１は、診療情報蓄積部６１から入力された診療情報を、入力順、すなわち、受付部６０が受け付けた受付順であり、投稿画面５５を介して投稿された投稿順に診療情報ＤＢ２２に蓄積する（図６参照）。
【００５０】
また、受付部６０は、クライアント端末１２で行われた操作に基づく各種要求、すなわち、診療支援画面２１や投稿画面５５の配信要求、診療支援画面２１の更新要求を受け付け、受け付けた配信要求や更新要求を画面データ生成・更新部６２に入力する。
【００５１】
画面データ生成・更新部６２は、診療支援画面２１の配信要求が入力されると、入力された配信要求で指定された患者ＩＤに対応する診療スケジュールをスケジュールＤＢ２０から取得する。また、画面データ生成・更新部６２は、取得した診療スケジュールＩＤに基づき、取得した診療スケジュールに対応する診療情報を、診療情報ＤＢ２２から取得する。そして、画面データ生成・更新部６２は、取得した診療スケジュールを表示するスケジュール表示領域Ａ１と、取得した診療情報を受け付け順（投稿順）に並べて表示する診療情報表示領域Ａ２とを並列的に配置した診療支援画面２１（図９参照）を生成し、出力制御部６３へ入力する。
【００５２】
また、画面データ生成・更新部６２は、投稿画面５５の配信要求が入力されると、投稿画面５５を生成して出力制御部６３へ出力する。さらに、画面データ生成・更新部６２は、診療支援画面２１の更新要求が入力されると、更新要求で指定された情報、すなわち、スクロールボタンＢ１、Ｂ４や、拡大ボタンＢ２、縮小ボタンＢ３等の操作信号などに基づいて、診療支援画面２１の更新を行い、更新済みの診療支援画面２１を、出力制御部６３へ出力する。
【００５３】
出力制御部６３は、画面データ生成・更新部６２が生成・更新した診療支援画面２１や投稿画面５５を、要求元のクライアント端末１２に配信する処理を行う。クライアント端末１２は、受信した診療支援画面２１を自身のディスプレイ３７に表示する。
【００５４】
以下、図１２〜図１６を用いて、上記構成による本発明の作用について説明を行う。診療支援画面を表示する場合、クライアント端末１２においてクライアントプログラムを起動し、患者ＩＤを指定する。これにより、クライアント端末１２において診療支援画面の配信要求が発行され、診療支援サーバ１１に入力される。
【００５５】
診療支援サーバ１１は、配信要求を受け付けると、配信要求で指定された患者ＩＤに関する診療スケジュールをスケジュールＤＢ２０から取得するとともに、取得した診療スケジュールＩＤに基づき、取得した診療スケジュールに対応する診療情報を、診療情報ＤＢ２２から取得する。そして、取得した診療スケジュールを表示するスケジュール表示領域Ａ１と、取得した診療情報を表示する診療情報表示領域Ａ２とを並列的に配置した診療支援画面を生成し、クライアント端末１２に配信する。
【００５６】
図１３に示すように、診療情報ＤＢ２２にいずれの診療情報も蓄積されていない場合、診療情報表示領域Ａ２にいずれの診療情報も表示されず、かつ、スケジュール表示領域Ａ１にいずれの指標Ｍ１、Ｍ２も表示されていない診療支援画面２１ａがクライアント端末１２に配信される。クライアント端末１２では、診療支援画面２１ａの新規投稿ボタンＢ５を操作することによって配信される投稿画面５５（図１０参照）において、連絡事項を入力したり、添付データを指定することによって、新たな診療情報（コメントなどの連絡事項や検査画像などの添付データ）を投稿できる。そして、投稿された診療情報に基づいて診療支援画面２１ａが更新される。
【００５７】
図１２に戻り、例えば、医師Ａが、「Ｂさん、ＣＴ検査の画像をアップして下さい。」との連絡事項を投稿すると、この投稿に基づいて診療支援画面２１ａが診療支援画面２１ｂへと更新される。図１４に示すように、診療支援画面２１ｂの診療情報表示領域Ａ２には、医師Ａが投稿したしたことを示すアイコンや、投稿された連絡事項、投稿時刻などが表示される。また、診療支援画面２１ｂのスケジュール表示領域Ａ１には、連絡事項が投稿されたことを示す円形の指標Ｍ１が、時間軸ＴＬに対応付けされて表示される。
【００５８】
図１２に戻り、診療支援画面２１ｂを確認した検査技師Ｂが、「了解です。明日朝イチでアップします。」との連絡事項を投稿すると、この投稿に基づいて診療支援画面２１ｂが診療支援画面２１ｃへと更新される。図１５に示すように、診療支援画面２１ｃの診療情報表示領域Ａ２には、検査技師Ｂが投稿したことを示すアイコンや、投稿された連絡事項、投稿時刻などが表示される。また、診療支援画面２１ｃのスケジュール表示領域Ａ１には、連絡事項が投稿されたことを示す円形の指標Ｍ１が、時間軸ＴＬに対応付けされて表示される。
【００５９】
図１２に戻り、診療支援画面２１ｃにおいて、検査技師Ｂが医師Ａから要求された検査結果（検査画像）を添付データとして投稿すると、この投稿に基づいて診療支援画面２１ｃが診療支援画面２１ｄへと更新される。図１６に示すように、診療支援画面２１ｄの診療情報表示領域Ａ２には、検査技師Ｂが投稿したことを示すアイコンや、投稿された添付データ、投稿時刻などが表示される。また、診療支援画面２１ｃのスケジュール表示領域Ａ１には、添付データが投稿されたことを示す四角形の指標Ｍ２が、時間軸ＴＬに対応付けされて表示される。
【００６０】
以上のように、本実施形態の診療支援システム１０によれば、医療スタッフから投稿された診療情報を投稿順（受付順）に並べて表示する診療情報表示領域Ａ２と、診療スケジュールを表示するスケジュール表示領域Ａ１とが並列的に配置された診療支援画面２１を表示することにより、従来と比較して、より充実した診療支援を簡単に行うことができる。
【００６１】
また、本実施形態の診療支援システム１０によれば、診療情報の投稿時期を示す指標Ｍ１、Ｍ２を時間軸ＴＬに表示することにより、診療情報の投稿時期が判りやすく便利である。さらに、本発明の診療支援システム１０によれば、投稿された診療情報の種類に応じて表示する指標の表示態様（本実施形態では指標の形状）を変化させることにより、投稿された診療情報の種類が判りやすく便利である。また、本実施形態の診療支援システム１０によれば、同時期に投稿された診療情報の数だけ指標を表示することにより、同時期に投稿された診療情報の数を把握し易く便利である。さらに、本実施形態の診療支援システム１０によれば、スケジュール表示領域Ａ１に表示された診療スケジュールの表示スケール（表示尺度）をユーザーの好みに応じて変更でき、便利である。
【００６２】
なお、本発明は上記実施形態に限定されず細部の構成については適宜変更できる。例えば、上記実施形態では、スクロールボタンＢ１の操作に基づいてスケジュール表示領域Ａ１に表示される診療スケジュールの表示範囲がスライド（スクロール）する例で説明をしたが、マウスの回転ローラの操作や、キーボードのアップボタンやダウンボタンの操作、スケジュール表示領域Ａ１に対するドラッグ操作やドロップ操作によりスケジュール表示領域Ａ１の表示範囲がスライド（スクロール）する構成としてもよい。
【００６３】
この場合、マウスの回転ローラの操作や、キーボードのアップボタンやダウンボタンの操作、スケジュール表示領域Ａ１に対するドラッグ操作やドロップ操作に応答して、画面データ生成・更新部６２が、スケジュール表示領域Ａ１の表示範囲を切り替えるように診療支援画面２１を更新する。もちろん、マウスの回転ローラの操作や、キーボードのアップボタンやダウンボタンの操作、診療情報表示領域Ａ２に対するドラッグ操作やドロップ操作により診療情報表示領域Ａ２の表示範囲がスクロールする構成としてもよい。
【００６４】
また、スケジュール表示領域Ａ１のスクロールに連動して、診療情報表示領域Ａ２がスクロールする構成としてもよい。この場合、例えば、スケジュール表示領域Ａ１の先頭に対応する時間に投稿された診療情報が、診療情報表示領域Ａ２の先頭に位置するように、スケジュール表示領域Ａ１のスクロールに連動して診療情報表示領域Ａ２をスクロールさせる（画面データ生成・更新部６２が診療支援画面２１を更新する）といったことが考えられる。もちろん、診療情報表示領域Ａ２のスクロールに連動して、スケジュール表示領域Ａ１がスクロールする構成としてもよい。
【００６５】
また、スケジュール表示領域Ａ１への操作に対応して、スケジュール表示領域Ａ２がスクロールする構成としてもよい。この場合、例えば、スケジュール表示領域Ａ１に表示されている指標Ｍ１や指標Ｍ２に対してクリック操作を行うと、操作された指標に対応する診療情報が、診療情報表示領域Ａ２の先頭に位置するように、スケジュール表示領域Ａ２をスクロールさせる（画面データ生成・更新部６２が診療支援画面２１を更新する）といったことが考えられる。もちろん、診療情報表示領域Ａ２への操作に対応して、スケジュール表示領域Ａ１がスクロールする構成としてもよい。
【００６６】
また、上記実施形態では、投稿された診療情報が連絡事項である場合に円形の指標Ｍ１を表示し、投稿された診療情報が添付データである場合に四角形の指標Ｍ２を表示するといったように、投稿された診療情報が連絡事項か添付データかによって指標の表示態様を切り替える例で説明をしたが、これ以外の基準に基づき指標の表示態様を切り替えてもよい。この場合、例えば、投稿画面５５で連絡事項を入力して投稿を行う際に、この連絡事項が指示、要望、確認、質問などの何れの属性であるかを指定させたり、連絡事項の重要度を指定させ、連絡事項の属性や重要度に応じて指標の表示態様を切り替えてもよい。もちろん、添付データの属性や重要度に応じて指標の表示態様を切り替えてもよいし、連絡事項や添付データ以外の診療情報の属性や重要度に応じて指標の表示態様を切り替えてもよい。
【００６７】
また、上記実施形態では、指標の表示態様が、四角形と円形との２種類である例で説明をしたが、指標の表示形態はこれに限定されない。例えば、三角形や五角形、菱形や星形など、四角形や円形以外の形状（表示態様）の指標を用い、表示する指標の形状を投稿された診療情報に応じて変化させてもよい。もちろん、指標の表示態様として、指標の表示サイズ（大きさ）を変化させてもよい。また、重要度の高い診療情報については赤い指標を表示し、重要度の低い診療情報については白い指標を表示するといったように、指標の表示態様として、指標の表示色を変化させてもよい。さらに、指標の表示態様として、指標の点灯態様（点滅表示の有無や点滅間隔）を変化させてもよい。
【００６８】
また、上記実施形態では、同時期に複数の診療情報が投稿された場合に、投稿された診療情報の数だけ指標を表示する例で説明をしたが、例えば、投稿された診療情報の数が多いほど、指標の大きさを大きくするなど、投稿された診療情報の数に応じて指標の表示態様を切り替えてもよい。
【００６９】
また、上記実施形態では、診療スケジュールのうち表示された表示範囲よりも前または後に投稿された診療情報に対応する指標についてはスケジュール表示領域Ａ１に表示されない例で説明をしたが、図１７に示すように、診療スケジュールの表示範囲よりも前または後に投稿された診療情報に対応する指標についてもスケジュール表示領域Ａ１に表示してもよい。
【００７０】
図１７（Ａ）に示すように、本例のスケジュール表示領域Ａ１には、診療スケジュールを表示する表示範囲の下限を示す下限ラインＬ１の下方に、下限ラインＬ１よりも後に投稿された診療情報に対応する指標を表示するための表示エリアＡ７が設けられている。そして、表示エリアＡ７には、下限ラインＬ１よりも後に投稿された診療情報が存在する場合、この診療情報に対応する表示態様の指標が表示される。なお、図１７（Ａ）では、表示エリアＡ７にはいずれの指標も表示されていない。すなわち、下限ラインＬ１よりも後に投稿された診療情報が存在しないことを示している。
【００７１】
一方、図１７（Ａ）の状態から、仮想線Ｌ２が下限ラインＬ１と重なる位置まで表示範囲を下方にスクロールすると、同図（Ｂ）に示すように、このスクロールにより表示範囲外となった円形の指標と、四角形の指標がそれぞれ１つずつ表示エリアＡ７に表示される。なお、本例では、表示範囲外となった指標が、表示エリアＡ７の内側（時間軸ＴＬに近い側）から外側へ向けて表示範囲外となった順番に並べて表示される。
【００７２】
さらに、図１７（Ｂ）の状態から、仮想線Ｌ３が下限ラインＬ１と重なる位置まで表示範囲を下方にスクロールすると、同図（Ｃ）に示すように、このスクロールにより表示範囲外となった５つの円形の指標と１つの四角形の指標が、表示エリアＡ７に追加表示される。なお、本例の表示エリアＡ７には、１段につき７個の指標が２段分、合計１４個の指標が表示可能となっており、表示エリアＡ７に８つ目以降の指標が表示される場合、それまでに表示された７つの指標が１段下に繰り下げられ、８つ目以降の指標が２段目の内側から順に表示される。
【００７３】
本例によれば、表示範囲の下限を示す下限ラインよりも後に投稿された診療情報に対応する指標を表示する表示エリアを設けたので、下限ラインよりも後にどの程度の数の診療情報が投稿されたかが判り便利である。なお、本例では、表示範囲の下限を示す下限ラインよりも後に投稿された診療情報に対応する指標を表示する表示エリアを設ける例で説明をしたが、表示範囲の上限を示す上限ラインよりも前に投稿された診療情報に対応する指標を表示する表示エリアを設けてもよい。
【００７４】
もちろん、診療スケジュールを構成する診療行為のうち、表示範囲よりも前または後の診療行為を表示する表示エリアを設け、この表示エリアに、表示範囲よりも前または後の診療行為を表示してもよい。なお、このような表示エリアに診療行為の名称などをそのまま表示すると表示エリアに表示できる診療行為の数が少なくなってしまったり、表示領域の大きさが肥大化してしまう恐れがあるので、このような表示エリアに診療行為を表示する際には、診療行為を指標化（アイコン化）して表示することが好ましい。
【００７５】
また、上記実施形態では、投稿画面５５を介して診療情報を投稿する例で説明をしたが、投稿画面５５を介さずに、診療情報表示領域Ａ２に対して、直接、診療情報を入力させ、入力された情報がそのまま投稿される構成としてもよい。
【００７６】
また、上記実施形態では、スケジュール表示領域Ａ１の表示スケールを変更しても、表示スケール以外の部分について表示内容が変化しない例で説明をしたが、本発明はこれに限定されるものではない。例えば、表示スケールを拡大すると、診療スケジュール全体のうち表示される診療行為の数は減るものの隣り合う診療行為同士の表示間隔は広がる。このため、表示スケジュールを拡大した際には、表示される診療行為については、診療行為の内容をより詳細に表示（例えば、拡大前は、診療行為名のみを表示し、拡大後は、担当者や実施日時などについても表示するなど）してもよい。もちろん、前述の例とは反対に、表示スケジュールを縮小した際に、表示内容を簡略化（例えば、縮小前は、診療行為名を表示し、縮小後は、診療行為をアイコン化して表示するなど）してもよい。
【００７７】
また、上記実施形態では、診療支援画面において、スケジュール表示領域の隣に診療情報表示領域を配置する例で説明をしたが、本発明はこれに限定されるものではない。スケジュール表示領域と診療情報表示領域とは並列的に配置されていればよく、並列的に配置するとは、スケジュール表示領域の時間軸に対応して診療情報が表示されることを示している。このため、スケジュール表示領域と診療情報表示領域との一方の領域内に他方の領域の全てが含まれる配置態様としたり、及び、双方の領域の一部が重複する配置態様としてもよい。
【００７８】
また、上記実施形態では、診療支援サーバ１１からネットワーク１４を通じてクライアント端末１２に対して診療支援画面２１を配信するクライアントサーバ型システムを例に説明している。この例では、診療支援サーバ１１が診療支援装置に相当する。こうしたクライアントサーバ型システムに限らず、クライアント端末１２そのものを診療支援装置として構成してもよい。この場合には、クライアント端末１２のＣＰＵ３１を、受付部６０、診療情報蓄積部６１、画面データ生成・更新部６２、出力制御部６３として機能させる。そして、受付部６０は、クライアント端末１２の入力デバイス３８からの操作に基づいて診療情報や各種操作指示を受け付ける。出力制御部６３は、画面データ生成・更新部６２が生成／更新した診療支援画面２１をディスプレイ３７に出力する制御を行う。つまり、クライアントサーバ型システムでは、出力制御部６３は、診療支援サーバ１１からクライアント端末１２に向けての配信出力を制御していたが、クライアント端末１２そのものを診療支援装置として構成する場合においては、ディスプレイ３７への表示出力を制御する。
【００７９】
なお、本発明は、上記実施形態や上述した変形例に限らず、本発明の要旨を逸脱しない限り種々の構成を採り得る。例えば、上記実施形態や上述した変形例を適宜組合せることも可能である。また、本発明は、プログラムに加えて、プログラムを記憶する記憶媒体にも及ぶ。
【符号の説明】
【００８０】
１０  診療支援システム
１１  診療支援サーバ
１２  クライアント端末
１４  ネットワーク
１５  電子カルテサーバ
１６  画像サーバ
１７  スケジュールサーバ
１８  カルテＤＢ
１９  画像ＤＢ
２０  スケジュールＤＢ
２１、２１ａ〜２１ｄ  診療支援画面
２２  診療情報ＤＢ
３１  ＣＰＵ
３２  メモリ
３３  ストレージデバイス
３７  ディスプレイ
３８  入力デバイス
４０  ＡＰ
５０  ＧＵＩ制御部
５１  要求発行部
５５  投稿画面
６０  受付部
６１  診療情報蓄積部
６２  画面データ生成・更新部（診療支援画面生成部）
６３  出力制御部
Ａ１  スケジュール表示領域（第１表示領域）
Ａ２  診療情報表示領域（第２表示領域）
ＴＬ  時間軸
Ｍ１、Ｍ２  指標
【図１】
2016126428.tif 000003
【図２】
2016126428.tif 000004
【図３】
2016126428.tif 000005
【図４】
2016126428.tif 000006
【図５】
2016126428.tif 000007
【図６】
2016126428.tif 000008
【図７】
2016126428.tif 000009
【図８】
2016126428.tif 000010
【図９】
2016126428.tif 000011
【図１０】
2016126428.tif 000012
【図１１】
2016126428.tif 000013
【図１２】
2016126428.tif 000014
【図１３】
2016126428.tif 000015
【図１４】
2016126428.tif 000016
【図１５】
2016126428.tif 000017
【図１６】
2016126428.tif 000018
【図１７】
2016126428.tif 000019